(57)【要約】【課題】給電用のターミナルとリード線の接続作業の際に作業スペース及び絶縁を簡単に確保することができ、作業性を向上させることができるブラシホルダを提供する。【解決手段】ブラシホルダ本体１１にブラシ３１を収納する一対のブラシ収納部１２，１２を設け、ブラシ３１に電源を供給するターミナル２１，２２を配置し、この各ターミナルの各一端部２１ａ，２２ａに各リード線を接続したブラシホルダ１０において、リード線に端子板２５，２６の一部を接続し、ブラシホルダ本体１０にリード線支持体２０を設け、このリード線支持体２０上に上側の位置で重ね合わされた一方のターミナルの一端部２１ａ及び端子板２５が露出するように配置し、かつ、リード線支持体２０の下部に下側の位置で重ね合わされた他方のターミナルの一端部２２ａ及び端子板２６が露出するように配置してスポット溶接にて電気的に接続した。【選択図】図３
2008086054.tif 000002
【特許請求の範囲】
【請求項１】
ブラシホルダ本体にブラシを出没自在に収納する少なくとも一対のブラシ収納部を設けると共に、該ブラシホルダ本体に前記一対のブラシに電源を供給する一対のターミナルを配置し、この一対のターミナルの各一端部に各リード線の一端に芯線を接続したブラシホルダにおいて、
前記各リード線の芯線に板状の端子板の一部を接続すると共に、前記ブラシホルダ本体に箱型のリード線支持体を設け、このリード線支持体上に上側の位置で重ね合わされた一方のターミナルの一端部及び端子板が露出するように配置し、かつ、前記リード線支持体に下側の位置で重ね合わされた他方のターミナルの一端部及び端子板が露出するように配置し、前記各ターミナルと各端子板の重ね合わせを上下互い違いに配置して、これら上下の位置にそれぞれ配置されて重ね合わされた前記各ターミナルの一端部と各端子板とをスポット溶接により接続したことを特徴とするブラシホルダ。
【発明の詳細な説明】
【技術分野】
【０００１】
本発明は、モータ軸のコンミュテータに摺接するブラシを保持したブラシホルダに関する。
【背景技術】
【０００２】
この種のブラシホルダとして、図４に示すものがある（例えば、特許文献１参照。）。
【０００３】
このブラシホルダ１は、図４に示すように、矩形板状のブラシホルダステー２に放射方向を向いて複数組み付けられおり、その内部にモータ軸３のコンミュテータに摺接するブラシ４を収納してある。ブラシホルダステー２の裏面には薄板状のリード板配線６を施してある。
【０００４】
このリード板配線６の一端部６ａは各ブラシ４に植設されたピグテール線５に電気的に接続されていると共に、該リード板配線６の他端部６ｂはブラシホルダステー２の外周端縁部に集中配置される端子部７に電気的に接続されている。この端子部７にはリード線８の芯線が半田付け等により電気的に接続されている。尚、ブラシホルダステー２は円板状のエンドブラケット９に取り付けられている。
【０００５】
【特許文献１】実開平５−４３７５８号公報
【発明の開示】
【発明が解決しようとする課題】
【０００６】
しかしながら、前記従来のブラシホルダ１では、給電用のリード板配線６が隣り合って配置されているため、端子部７とリード線８の半田付け等の際に作業スペースの確保及び絶縁の確保が難しかった。また、端子部７とリード線８の半田付け等の際の作業性も悪かった。
【０００７】
そこで、本発明は、前記した課題を解決すべくなされたものであり、給電用のターミナルとリード線の接続作業の際に作業スペース及び絶縁を簡単かつ確実に確保することができて、作業性の向上を図ることができるブラシホルダを提供することを目的とする。
【課題を解決するための手段】
【０００８】
請求項１の発明は、ブラシホルダ本体にブラシを出没自在に収納する少なくとも一対のブラシ収納部を設けると共に、該ブラシホルダ本体に前記一対のブラシに電源を供給する一対のターミナルを配置し、この一対のターミナルの各一端部に各リード線の一端に芯線を接続したブラシホルダにおいて、前記各リード線の芯線に板状の端子板の一部を接続すると共に、前記ブラシホルダ本体に箱型のリード線支持体を設け、このリード線支持体上に上側の位置で重ね合わされた一方のターミナルの一端部及び端子板が露出するように配置し、かつ、前記リード線支持体に下側の位置で重ね合わされた他方のターミナルの一端部及び端子板が露出するように配置し、前記各ターミナルと各端子板の重ね合わせを上下互い違いに配置して、これら上下の位置にそれぞれ配置されて重ね合わされた前記各ターミナルの一端部と各端子板とをスポット溶接により接続したことを特徴とする。
【発明の効果】
【０００９】
以上説明したように、請求項１の発明によれば、各リード線の芯線に板状の端子板の一部を接続すると共に、ブラシホルダ本体に箱型のリード線支持体を設け、このリード線支持体上に上側の位置で重ね合わされた一方のターミナルの一端部及び端子板が露出するように配置し、かつ、リード線支持体に下側の位置で重ね合わされた他方のターミナルの一端部及び端子板が露出するように配置し、各ターミナルと各端子板の重ね合わせを上下互い違いに配置して、これら上下の位置にそれぞれ配置されて重ね合わされた各ターミナルの一端部と各端子板とをスポット溶接により接続したことにより、給電用の各ターミナルと各リード線との接続作業の際に、一対のターミナルと各端子板との上下互い違いに重ね合わせた部分に容易にスポット溶接の電極を両側から当接するという作業スペースを簡単に確保することができると共に、それらの絶縁を簡単に確保することができる。これにより、作業性の向上を図ることができる。
【発明を実施するための最良の形態】
【００１０】
以下、本発明の一実施形態を図面に基づいて説明する。
【００１１】
図１は本発明の一実施形態のブラシホルダを示す側面図、図２は同ブラシホルダの斜視図、図３は同ブラシホルダの分解斜視図である。
【００１２】
図１〜図３に示すように、ブラシホルダ１０は合成樹脂製で略四角ブロック状のブラシホルダ本体１１を有している。このブラシホルダ本体１１の中央部にはモータのアーマチュア軸３０を貫通させる円形の貫通孔１１ａを形成してある。そして、ブラシホルダ本体１１の下部には、貫通孔１１ａを挾むようにして一対のブラシ収納部１２，１２を形成してある。この各ブラシ収納部１２内にはブラシ３１を出没自在に収納してあり、該ブラシ３１は付勢手段としての捩りコイルバネ３２によりアーマチュア軸３０の図示しないコンミュテータに接触するように押圧付勢されるようになっている。
【００１３】
また、ブラシホルダ本体１１の上面１１ｂの片側には、一対の位置決め片部１３，１４と複数の位置決めボス１５，１６及び起立片部１７とを一体突出形成してある。さらに、ブラシホルダ本体１１の一側面には矩形板状の連結凸部１１ｃを一体突出形成してある。この連結凸部１１ｃには、合成樹脂製で箱型のリード線支持体２０の連結凹部２０ｄが連結されるようになっている。そして、ブラシホルダ本体１１の上面１１ｂからリード線支持体２０上にかけて一対のブラシ３１，３１に電源を供給する給電用の一対のターミナル２１，２２と該一対のターミナル２１，２２の各一端部２１ａ，２２ａに各板状の端子板２５，２６を介して接続される各リード線２３，２４が配索されるようになっている。
【００１４】
図１〜図３に示すように、一方のターミナル２１の一端部２１ａは、水平の中途部２１ｂに対して上方へ直角に折り曲げ形成してある。また、一方のターミナル２１の中途部２１ｂには、ブラシホルダ本体１１の一方の各位置決めボス１５に嵌め込まれる一対の位置決め孔２１ｃ，２１ｃを形成してある。さらに、一方のターミナル２１の中途部２１ｂには、圧接刃部２１ｄを上方へ直角に折り曲げ形成してある。そして、この一方のターミナル２１の上側に突出した一端部２１ａがブラシホルダ本体１１の一方の位置決め片部１３に重ね合われるように配置されている。
【００１５】
図２，図３に示すように、他方のターミナル２２の一端部２２ａは、水平の中途部２２ｂに対して下方へ直角に折り曲げ形成してある。また、他方のターミナル２２の中途部２２ｂには、ブラシホルダ本体１１の他方の各位置決めボス１６に嵌め込まれる一対の位置決め孔２２ｃ，２２ｃを形成してある。さらに、他方のターミナル２２の中途部２２ｂには圧接刃部２２ｄを上方へ直角に折り曲げ形成してあると共に、該他方のターミナルの他端部２２ｅは上方へ斜めに傾斜するように形成されている。そして、この他方のターミナル２２の下側に突出した一端部２２ａがブラシホルダ本体１１の他方の位置決め片部１４に重ね合われると共に、該他方の位置決め片部１４とブラシホルダ本体１１の境目に形成されたスリット溝１４ａより該ブラシホルダ本体１１の下面１１ｄに露出するように配置されている。これにより、ブラシホルダ本体１１に配索される一対のターミナル２１，２２の各一端部２１ａ，２２ａは上下互い違いに配置されるようになっている。
【００１６】
また、図３に示すように、リード線支持体２０の上面２０ａには一対のリード線保持凹部２０ｂ，２０ｃを形成してある。また、リード線支持体２０の前面上側には、ブラシホルダ本体１１の連結凸部１１ｃに溶着等により連結される連結凹部２０ｄを一体突出形成してある。さらに、リード線支持体２０の前側の下部には他方のターミナル２２の一端部２２ａ及び他方の端子板２６を露出させる凹部２０ｅを形成してある。尚、他方の端子板２６を配置するリード線支持体２０の他方のリード線保持凹部２０ｃの前側はスリット溝状になって凹部２０ｅに連通している。
【００１７】
一方のリード線２３の一端に露出した芯線２３ａには、矩形板状の一方の端子板２５の電線接続部（一部）２５ａが加締め等により電気的に接続されるようになっている。そして、図１及び図２に示すように、一方の端子板２５は、リード線支持体２０の一方のリード線保持凹部２０ｂの前側に配置されて一方のターミナル２１の一端部２１ａに重ね合わされるようになっている。また、他方のリード線２４の一端に露出した芯線２４ａには、矩形板状の他方の端子板２６の電線接続部（一部）２６ａが加締め等により電気的に接続されるようになっている。そして、図１及び図２に示すように、他方の端子板２６は、リード線支持体２０の他方のリード線保持凹部２０ｃの前側に配置されて他方のターミナル２２の一端部２２ａに重ね合わされるようになっている。これらにより、リード線支持体２０上に上側の位置で重ね合わされた一方のターミナル２１の一端部２１ａ及び一方の端子板２５が露出するように配置され、また、リード線支持体２０の下部の凹部２０ｅ内に下側の位置で重ね合わされた他方のターミナル２２の一端部２２ａ及び他方の端子板２６が露出するように配置されるようになっている。即ち、各端子板２５，２６はリード線支持体２０の各リード線保持凹部２０ｂ，２０ｃに各ターミナル２１，２２の一端部２１ａ，２２ａと重なり合って上下互い違いにそれぞれ配置されるようになっており、これら上下の位置にそれぞれ配置されて重ね合わされた各ターミナル２１，２２の一端部２１ａ，２２ａと各端子板２５，２６とはスポット溶接によりそれぞれ電気的に接続されるようになっている（図１中スポット溶接の部分を符号Ｓで示す）。
【００１８】
尚、各ブラシ３１と各ターミナル２１，２２は図示しないピグテール線により接続されるようになっている。また、リード線支持体２０の上面２０ａ及び後面２０ｆは合成樹脂製のカバー２９で覆われるようになっている。さらに、他方のターミナル２２の他端部２２ｅは起立片部１７に埋設された一方の端子片１８ａに接続されるようになっている。さらに、起立片部１７に埋設された他方の端子片１８ｂはアース用等のターミナル１９の一端部１９に接続されるようになっている。
【００１９】
以上実施形態のブラシホルダ１０によれば、ブラシホルダ本体１１の一対の位置決め片部１３，１４に一対のターミナル２１，２２の各一端部２１ａ，２２ａを上下互い違いに配置すると共に、該各ターミナル２１，２２の各一端部２１ａ，２２ａに各リード線２３，２４の芯線２３ａ，２４ａに各電線接続部２５ａ，２６ａを接続した板状の端子板２５，２６を重ね合わせて配置し、これら各ターミナル２１，２２の一端部２１ａ，２２ａと各端子板２５，２６とをスポット溶接Ｓにて電気的に接続するようにしたことにより、給電用の各ターミナル２１，２２と各リード線２３，２４との接続作業の際に、一対のターミナル２１，２２と各端子板２５，２６との上下互い違いに重ね合わせた部分に容易にスポット溶接の電極を両側から当接するという作業スペースを簡単に確保することができると共に、各ターミナル２１，２２の絶縁距離を簡単に確保することができる。これにより、作業性の向上を図ることができる。
【００２０】
特に、ブラシホルダ本体１１の連結凸部１１ｃにリード線支持体２０の連結凹部２０ｄを連結し、このリード線支持体２０上に上側の位置で重ね合わされた一方のターミナル２１の一端部２１ａ及び一方の端子板２５が露出するように配置し、かつ、リード線支持体２０の下部に下側の位置で重ね合わされた他方のターミナル２２の一端部２２ａ及び他方の端子板２６を露出させる凹部２０ｅを形成したことにより、給電用の各ターミナル２１，２２の各一端部２１ａ，２２ａと各リード線２３，２４に接続された各端子板２５，２６をスポット溶接する際に、一対のターミナル２１，２２と各端子板２５，２６との露出して上下互い違いに重ね合わせた部分に容易にスポット溶接の電極を両側から当接するという作業スペースを簡単かつ確実に確保することができると共に、各ターミナル２１，２２の絶縁距離を簡単かつ確実に確保することができる。これにより、作業性の向上をより一段と図ることができる。
【００２１】
尚、前記実施形態によれば、ブラシホルダ本体の連結凸部にリード線支持体の連結凹部を連結したが、ブラシホルダ本体にリード線支持体を一体形成しても良い。
【図面の簡単な説明】
【００２２】
【図１】本発明の一実施形態のブラシホルダを示す側面図である。
【図２】上記ブラシホルダの斜視図である。
【図３】上記ブラシホルダの分解斜視図である。
【図４】従来のブラシホルダを組み付けたブラシホルダステーの平面図である。
【符号の説明】
【００２３】
１０  ブラシホルダ
１１  ブラシホルダ本体
１２，１２  一対のブラシ収納部
２０  リード線支持体
２０ｅ  凹部
２１，２２  一対のターミナル
２１  一方のターミナル
２２  他方のターミナル
２３，２４  リード線
２３ａ，２４ａ  芯線
２５  一方の端子板
２５ａ  電線接続部（一部）
２６  他方の端子体
２６ａ  電線接続部（一部）
３１  ブラシ
Ｓ  スポット溶接の部分
【図１】
2008086054.tif 000003
【図２】
2008086054.tif 000004
【図３】
2008086054.tif 000005
【図４】
2008086054.tif 000006